(57)【要約】【課題】  着心地が良く、身体とジャケットの密着性を高めることで作業性を向上させ、高温環境においても身体を十分冷却でき、さらには、安全性が高い身体冷却用衣服を提供することである。【解決手段】  メッシュ材２を身体冷却用衣服１の全面に使うことで、通常の生地より通気性が良くなる。同様のメッシュ材２で形成された胸部ポケット部３０、背部ポケット部、腹側部ポケット部３４、首部ポケット部には、紙材包装ドライアイス片が収納され、その冷気により身体を冷却することができる。【選択図】図１
2011001669.tif 000002
【特許請求の範囲】
【請求項１】
メッシュ材で形成され、人の少なくとも上半身に対応する衣服本体と、
その衣服本体において、人の少なくとも胸部、背部、左右の腹側部、首部に対応する位置にそれぞれ１個以上形成され、時間の経過とともに消尽する保冷材を収容するための複数のポケット部と、
前記首部に対応する前記衣服本体で、少なくとも前記ポケット部を含む部分において配設され、人の首に接触する、前記メッシュ材より軟らかい軟質部材と、
を含むことを特徴とする身体冷却用衣服。
【請求項２】
前記衣服本体はベスト状をなし、その胸部に左右対称的に２個の胸部ポケット部が、また背部に上下に１個又は２個ずつの背部ポケット部が、さらに左右の腹側部に対称的に１個又は２個ずつの腹側部ポケット部が、また首部には人の首を取り囲むように１個又は複数の、若しくは人の首の後部に当たる部位に１個又は複数の首部ポケット部が、それぞれ形成されている請求項１に記載の身体冷却用衣服。
【請求項３】
前記胸部・背部・腹側部・首部ポケット部は、前記メッシュ材からなる前記衣服本体のメッシュ材に重ねて、ポケット部形成用のメッシュ材が縫い合わされて二重のメッシュ材からなる部分として形成され、その二重のメッシュ材の部分が前記ポケット部のための空間とされ、あるいは前記衣服本体のメッシュ材に対して前記ポケット部を形成するための袋状のメッシュ材が縫い合わされて、その袋状のメッシュ材の部分が前記ポケット部のための空間とされている請求項１又は２に記載の身体冷却用衣服。
【請求項４】
前記衣服本体のメッシュ材の外側にポケット部形成用のメッシュ材が縫い合わされて前記二重のメッシュ材の部分が形成され、さらにその衣服本体のメッシュ材における、前記ポケット部を形成する外側のメッシュ材の上側に隣接する部位に、フラップ状のメッシュ材が縫い合わされ、下側に折り返されることにより、そのフラップ状のメッシュ材が前記ポケット部を形成するメッシュ材の上部外面に重なるようにされ、その重なり部分に圧着ファスナーが固着されて、前記フラップ状のメッシュ材が前記ポケット部を閉鎖できるようにされた請求項３に記載の身体冷却用衣服。
【請求項５】
前記衣服本体の前面を構成するメッシュ材は、中央部において上部から下部にわたり分断され、その分断部分に前記衣服本体の胴回りサイズを調整する１個のサイズ調整具が設けられ、又は２個以上のサイズ調整具が上下方向に所定の間隔で設けられている請求項１に記載の身体冷却用衣服。
【請求項６】
前記サイズ調整具は、前記中央部で分断された左右の端部同士を連結する長さを伸長又は短縮する長さ調節部を有し、その長さが調節されることにより、前記衣服本体の胴回りサイズが調整される請求項５に記載の身体冷却用衣服。
【請求項７】
請求項１の衣服本体に形成されたポケットに、板状又はブロック状に切り出され若しくは成形されたドライアイスを、新聞紙その他の紙材で包んで紙材包装ドライアイスとし、その紙材包装ドライアイスを、請求項１の衣服本体に形成されたポケット部に収容し、時間の経過によりその紙材包装ドライアイスが消尽したら、残る紙材を前記ポケット部から除去し、再度、前記紙材包装ドライアイスを前記ポケット部に収容することにより、当該衣服を繰り返し使用可能とすることを特徴とする身体冷却用衣服の使用方法。
【発明の詳細な説明】
【技術分野】
【０００１】
本発明は、屋外や高温条件下で作業する作業者の作業着、又は、釣りその他のレジャー用、あるいは盛夏の外出着等として、身体が高温状態になることによる熱中症等の危険から、身体への負担を軽減し、安全を確保するための身体冷却用衣服に関するものである。
【背景技術】
【０００２】
従来技術として、ドライアイスの昇華に伴い、その昇華したガス状二酸化炭素により身体を冷却するジャケットが知られている。（特許文献１）
【０００３】
しかし、このようなジャケットでは、昇華したガス状二酸化炭素で冷却するため、身体とジャケットの間に冷却剤であるドライアイスを挿入する必要があり、着心地が悪かった。また、身体とジャケットの間に空間を作る必要があるので、身体にジャケットが十分密着せず、作業性が悪かった。さらに、身体の熱を下げるのに効果的な首部が十分に冷却されていないという欠点があった。
【特許文献１】特開昭５２−１５７４７号公報
【発明の概要】
【発明が解決しようとする課題】
【０００４】
本発明は、上記した事情に鑑み、着心地が良く、身体とジャケットの密着性を高めることで作業性を向上させ、高温環境においても身体を十分冷却でき、さらには、安全性が高い身体冷却用衣服を提供することを課題としている。
【課題を解決するための手段及び発明の効果】
【０００５】
上記課題を解決するための本発明の身体冷却用衣服は、メッシュ材で形成され、人の少なくとも上半身に対応する衣服本体と、その衣服本体において、人の少なくとも胸部、背部、左右の腹側部、首部に対応する位置にそれぞれ１個以上形成され、時間の経過とともに消尽する保冷材を収容するための複数のポケット部と、前記首部に対応する前記衣服本体で、少なくとも前記ポケット部を含む部分において配設され、人の首に接触する、前記メッシュ材より軟らかい軟質部材と、を含むことを特徴とする。
【０００６】
以上のような構成から、メッシュ素材により衣服本体を形成することで、通常の生地より通気性が良くなり、保冷材からの冷気を十分身体に伝えることができる。
【０００７】
また、保冷材を収容するポケット部が、胸部、背部、腹側部、首部に対応する位置にあるので、上半身を満遍無く冷却できる。
【０００８】
さらに、通常は肌着の上から身体冷却用衣服を着るので、胸部、背部、腹側部に関しては、直接保冷材が肌と触れるおそれはないが、首部に関しては直接保冷材と肌がメッシュ材を介して触れるおそれがあった。しかし、身体を冷却するにあたり首部を冷却することは非常に有効な手段であることが知られている。そこで、本発明では首部に接触する部分にメッシュ素材より軟らかい軟質部材を用い、肌と保冷材が直接触れる危険を無くすとともに、肌触りも良くしている。
【０００９】
また、前記衣服本体はベスト状をなし、その胸部に左右対称的に２個の胸部ポケット部が、また背部に上下に１個又は２個ずつの背部ポケット部が、さらに左右の腹側部に対称的に１個又は２個ずつの腹側部ポケット部が、また首部には人の首を取り囲むように１個又は複数の、若しくは人の首の後部に当たる部位に１個又は複数の首部ポケット部が、それぞれ形成されていることを特徴とする。
【００１０】
ポケット部が、対称的に配置されることで、上半身を左右対称的に冷却することができ、上半身の片側だけ冷却されるようなことは無く、上半身を満遍無く冷却するのにより効果的である。また、首部には１個又は複数のポケット部があり、身体冷却に効果的な首部の体温を十分低下させることができる。
【００１１】
さらに、前記胸部・背部・腹側部・首部ポケット部は、前記メッシュ材からなる前記衣服本体のメッシュ材に重ねて、ポケット部形成用のメッシュ材が縫い合わされて二重のメッシュ材からなる部分として形成され、その二重のメッシュ材の部分が前記ポケット部のための空間とされ、あるいは前記衣服本体のメッシュ材に対して前記ポケット部を形成するための袋状のメッシュ材が縫い合わされて、その袋状のメッシュ材の部分が前記ポケット部のための空間とされている。
【００１２】
具体的には、前記衣服本体のメッシュ材の外側にポケット部形成用のメッシュ材が縫い合わされて前記二重のメッシュ材の部分が形成され、さらにその衣服本体のメッシュ材における、前記ポケット部を形成する外側のメッシュ材の上側に隣接する部位に、フラップ状のメッシュ材が縫い合わされ、下側に折り返されることにより、そのフラップ状のメッシュ材が前記ポケット部を形成するメッシュ材の上部外面に重なるようにされ、その重なり部分に圧着ファスナーが固着されて、前記フラップ状のメッシュ材が前記ポケット部を閉鎖できるようにされたことを特徴とする。
【００１３】
上記構成から、メッシュ材が二重に形成された部分がポケット部となるので、ポケット部の内側及び外側に保冷材からの冷気が効率的に伝わる。また、ポケット部を形成するメッシュ材の上部外面に重なるように、フラップ状のメッシュ材が形成され、重なり部分が圧着ファスナーで固定され、ポケット部を閉鎖することができるので、ポケット部の中に収納された保冷材が外に飛び出ることを防ぐことができ、フラップ状の部分がメッシュ材であることから、冷気を効率的に伝える効果も有している。
【００１４】
さらに、前記衣服本体の前面を構成するメッシュ材は、中央部において上部から下部にわたり分断され、その分断部分に前記衣服本体の胴回りサイズを調整する１個のサイズ調整具が設けられ、又は２個以上のサイズ調整具が上下方向に所定の間隔で設けられている。
【００１５】
具体的には、前記サイズ調整具は、前記中央部で分断された左右の端部同士を連結する長さを伸長又は短縮する長さ調節部を有し、その長さが調節されることにより、前記衣服本体の胴回りサイズが調整されることを特徴とする。
【００１６】
上記構成のように、身体冷却用衣服は中央で分かれているので、腕を通すだけで装着が容易にできる。さらに、サイズ調整具を有しているので、様々な体型の人に効果的に身体冷却用衣服をフィットさせることができ、サイズの調整も長さ調整部を伸縮するだけなので簡単である。
【００１７】
さらに、身体冷却用衣服は、衣服本体に形成されたポケットに、板状又はブロック状に切り出され若しくは成形されたドライアイスを、新聞紙その他の紙材で包んで紙材包装ドライアイスとし、その紙材包装ドライアイスを、衣服本体に形成されたポケット部に収容し、時間の経過によりその紙材包装ドライアイスが消尽したら、残る紙材を前記ポケット部から除去し、再度、前記紙材包装ドライアイスを前記ポケット部に収容することにより、当該衣服を繰り返し使用可能とすることを特徴とすることを特徴とする。
【００１８】
新聞紙は、保水性及び保温性に優れており、低温のドライアイス片は、適度に冷却を促進される。さらに、ドライアイス片が昇華した後は、新聞紙のみが残り環境にも良い。
【図面の簡単な説明】
【００１９】
【図１】第１実施例の身体冷却用衣服１の正面図である。
【図２】第１実施例の身体冷却用衣服１の背面図である。
【図３】新聞紙５２によりドライアイス５０を包む様子を示した図である。
【図４】複数箇所のポケット部を模式的に１箇所ポケット部７としてあらわし、紙材包装ドライアイス片５４の収納の様子を示した図である。
【図５】人体に身体冷却用衣服１を装着したときのポケット部７においての断面をあらわした図である。
【図６】身体冷却用衣服１を装着する様子を示す図である。
【図７】身体冷却用衣服１を装着した様子を側面から見た図である。
【図８】第２実施例の身体冷却用衣服１の正面図である。
【図９】第３実施例の身体冷却用衣服１の正面図である。
【図１０】第４実施例の身体冷却用衣服１の背面図である。
【図１１】第５実施例の身体冷却用衣服１の正面図である。
【図１２】第６実施例の身体冷却用衣服１の正面図である。
【図１３】第７実施例の身体冷却用衣服１の正面図及び着用の様子を示す図である。
【発明を実施するための最良の形態】
【００２０】
以下、本発明の実施形態を、図面を参照しながら説明する。
【実施例１】
【００２１】
図１において、第１実施例の身体冷却用衣服１の構成について説明する。図１は、身体冷却用衣服１の正面図である。身体冷却用衣服１の生地には、多数の小孔が全面に配置されたメッシュ材２が全体に使用されている。前身頃３において、胸部２０にあたる位置には左右対称に胸部ポケット部３０が設けられ、両腹側部２４にあたる部分には、腹側部ポケット部３４が対称的に設けられている。また、首部２６にあたる部分には、保護板として直接肌と接する部分に、断熱機能のある軟質部材９が設けられている。腕部２１にあたる部分は、袖のないベスト型をしている。さらに、前身頃３は中央で左右に分断されている状態で、長さ調整部４２を有したサイズ調整具４０により、中央で３箇所連結されている。
【００２２】
図２は第１実施例の身体冷却用衣服１の背面図である。身体冷却用衣服１の生地には、図１の正面図と同様にメッシュ材２が全体に使用されている。首部２６にあたる部分には首部ポケット部３６が設けられている。また、後身頃４において背部２２にあたる部分には、背部ポケット部３２が上下に１つずつ設けられられている。両腹側部２４にあたる部分には、腹側部ポケット部３４が対称的に設けられている。
【００２３】
なお、各ポケット部の位置は身体冷却用衣服１を着用して使用する場所、用途に応じて、着用者の身体を冷却する為の最適となる場所にポケット部を配置し、利用することができる。
【００２４】
図３は、ブロック状のドライアイス５０用い、新聞紙５２により包む様子を示した図である。あらかじめ短冊状に切断されたドライアイス５０を新聞紙５２で包むと紙材包装ドライアイス５４のようになる。ここで、ドライアイス５０はブロック状ではなく、ペレット状の物を紙に包み一体化するようにしてもよい。また、新聞紙５２は保水性及び保温性に優れた他の紙等を用いることもできるが、身近にある新聞紙を用いると便利性がよい。
【００２５】
図４は、複数箇所のポケット部を説明のために模式的に１箇所ポケット部７としてあらわし、保冷材としての紙材包装ドライアイス５４の収納の様子を示した図である。図４（ａ）のポケット部７において、ポケット部７も身体冷却用衣服１の本体と同様、メッシュ材２により構成されている。また、ポケット部形成用メッシュ材１１の上側に形成したポケット部７の挿入口１９を閉ざすことができる部位には、フラップ状のメッシュ材１２が縫い合わされている。
【００２６】
図４（ｂ）は、紙材包装ドライアイス５４をポケット部７に収納する様子を示した図である。ポケット部形成用メッシュ材１１は、衣服表面１０から立ち上がるポケット部側面１４と衣服表面１０に対峙するポケット部表面１５から構成されており、紙材包装ドライアイス５４が収納される前段階では、ポケット部側面１４が折りたたまれている。紙材包装ドライアイス５４を収納する際は、フラップ状のメッシュ材１２を上部に開いて挿入開口１９を形成し、折りたたまれていたポケット部側面１４を伸ばすことで、衣服表面１０とポケット部表面１５との間に空間を作る。そして、その空間の中に紙材包装ドライアイス５４を収納する。また、ポケット部形成用メッシュ材１１とフラップ状のメッシュ材１２には、それぞれ圧着ファスナー１３ａと１３ｂが設けられており、それらの着脱によりフラップ状のメッシュ材１２によって前記挿入開口１９の開閉が可能となる。
【００２７】
図４（ｃ）は、紙材包装ドライアイス５４がポケット部７に収納された様子を示した図である。フラップ状のメッシュ材１２は、圧着ファスナー１３ａと１３ｂにより定位置で固定したとき、ポケット部７において蓋状体１６として機能している。そして、蓋状体１６は、衣服表面１０から立ち上がるフラップ部側面１７とポケット部表面１５に密着するフラップ部表面１８により構成される。また、紙材包装ドライアイス５４を収納後もポケット部７全体がメッシュ材２で構成されているので、外部から紙材包装ドライアイス５４を確認できる。さらに、紙材包装ドライアイス５４が昇華した後は、ポケット部側面１４及びフラップ部側面１７が折りたたまれ、ポケット部７の厚みが薄くなる。
【００２８】
図５は、人体に身体冷却用衣服１を装着したときのポケット部７においての断面をあらわした図である。図５において、人体側には肌着６０、外部側には上着６１をそれぞれ着用しているものとする。身体冷却用衣服１及びポケット部７はメッシュ材２により構成されているので、紙材包装ドライアイス５４からの冷気５６があらゆる方向に拡散されていることが分かる。
【００２９】
図１、２に示すように、メッシュ材２を身体冷却用衣服１の全面に使うことで、通常の生地より通気性が良くなる。また、図４に示すように、ポケット部７についても全面にメッシュ材２を使用しているため、図５において、身体側及び外部側に紙材包装ドライアイス５４からの冷気５６を十分伝えることができるようになる。また、全面がメッシュ材２で形成されているので、汚れを落とすために洗濯した後は、乾燥が速い。さらに、腕部２１については、大きく開かれた形となっているので、腕の稼動範囲が広がり、作業性が向上する。
【００３０】
メッシュ材２の多数の小孔は、縦が３ｍｍ、横が２ｍｍほどのひし形状の構成とするのが良く、生地の厚みは１ｍｍ程度とするのが良いが、使用状態により適宜変更可能である。また、メッシュ材２の端部全周は細幅布によって端面処理がなされているので端部がほつれるおそれがない。
【００３１】
また、図１、２において、首部２６の後方に位置する場所に首部ポケット部３６が設けられており、直接肌と触れる部分を保護する為の保護板として、軟質部材９が設けられている。熱伝導性を阻害する能力のある保護板は、密接状態に近い体からの体温で急速に保冷材の効果が減少させるのを防ぐことができる。さらに、身体の熱を下げるのに効果的な首を冷却する時において、保護板を軟質部材９で形成すれば、直接肌とドライアイスが触れる危険性が無く、安全面にも効果がある。胸部、背部、腹側部等に関しては、あらかじめ肌着等を身に付けている場所であるので、ドライアイスが直接肌に触れるという危険性は回避できる。また、首部ポケット部３６は、数箇所設けることもできる。
【００３２】
さらに、身体冷却用衣服１の各所に多数配置したポケット部に対して、全てのポケット部に保冷材５０を装着するのではなく、身体冷却用衣服１を使用する場所、用途に応じて、必要箇所のポケット部にのみ保冷材５０を入れて使用することもできる。
【００３３】
図４のように、紙材包装ドライアイス５４をポケット部７に収納すると、フラップ状のメッシュ材１２が蓋状体１６として機能し、作業中に内部に収納された紙材包装ドライアイス５４が外部に飛び出すのを防ぐ。また、圧着ファスナー１３ａ、１３ｂは、ボタンなどの固定及び開閉が可能なものに変更してもよい。
【００３４】
図５のように、ポケット部７に紙材包装ドライアイス５４を挿入することにより、ポケット部７と上着６１との間には、身体冷却用衣服１とポケット部７との間のポケット部７のない部分に、ポケット部７の厚み分の空間によって隙間が形成され、さらにポケット部７は身体冷却用衣服１の複数箇所に設置されているので、身体冷却用衣服１と上着６１との間の隙間を均等に作ることができ、身体に冷気５６をより効果的に充満させることができる。
【００３５】
図６（ａ）は、身体冷却用衣服１を装着する様子を示す図である。肌着６０の上から身体冷却用衣服１を装着するとき、腕部２１に両腕を通し、身体冷却用衣服１を羽織る。サイズ調整具４０が前身頃３の前面に３箇所設けられており、それを図６（ｂ）のように留め具４４により係合する。留め具４４部分はワンタッチで係合できるロック機構から構成されているので、衣服の着脱が容易である。Ａ部拡大図に示すように、サイズ調整具４０は長さ調整部４２を矢印方向に引っ張ることでベルトを締め付けることができ、サイズの調整が可能である。サイズ調整を行うことで、身体冷却用衣服１を身体に十分フィットさせることができると共に、上着との間に確実に冷気が拡散できる隙間を形成することができる。また、サイズ調整具４０の数は、付けうる範囲で変更が可能である。
【００３６】
図７は、身体冷却用衣服１を装着した様子を側面から見た図である。胸部２０、背部２２、腹側部２４、首部２６にあたる位置にそれぞれ、胸部ポケット部３０、背部ポケット部３２、腹側部ポケット部３４、首部ポケット部３６が設けられている。それぞれのポケット部は、身体冷却用衣服１の外側に突出しており、図５のように上着６１を着た場合、上着６１との間に隙間が生じることが分かる。また、首部ポケット部３６が安定して保持されるように首の後方から胸部２０にかけての側部に襟部２７が設けられている。ここで、腹側部ポケット部３４は２箇所配置することもでき、襟部２７上にポケット部を数箇所配置し、首周りを冷却するようにしてもよい。
【実施例２】
【００３７】
図８に身体冷却用衣服１の別形態を示す。前身頃３の前面には、ファスナー７０が設けられており、身体への安定性が向上する。さらにファスナーの前面にサイズ調整具４０が設けられており、サイズ調整も可能である。また、鎖骨部周辺に鎖骨部ポケット部７１が設けられ、保冷材は斜めに配置されることとなる。サイズ調整具４０を無くし、ファスナー７０のみとしてもよい。
【実施例３】
【００３８】
図９に身体冷却用衣服１の別実施例を示す。前身頃３と後身頃４とは肩部７３において接合されており、側面はサイズ調整具７５により固定されている。このサイズ調整具７５にはワンタッチのロック機構が無くてもよい。前身頃３の下方には腹前部ポケット部７２が左右対称に設けられている。前身頃３の前面はファスナー７０により開閉できる構成である。
【実施例４】
【００３９】
図１０に身体冷却用衣服１の別実施例を示す。後身頃４の背部２２には上下に２箇所ずつ背部ポケット部３２が左右対称に配置されている。このように、ポケット部を増やすことでより広範囲に冷気が行き渡ることができると共に、図５のように上着６１を着用するとき、均等に上着６１を浮き上がらせることができる。また、ポケット部は可能な範囲において増やすことができる。
【実施例５】
【００４０】
図１１に身体冷却用衣服１の別実施例を示す。前身頃３は、長袖形状となっており、その長袖部７６の適当な部位に腕部ポケット部７７を配置し、紙材包装ドライアイス５４を収納することができる。腕部ポケット部７７は数箇所配置してもよい。
【実施例６】
【００４１】
図１２に身体冷却用衣服１の別実施例を示す。前身頃３は、半袖形状となっており、着丈が長くなっている。着丈が長くなった部分において、適当な部位に足部ポケット部７８を配置し、紙材包装ドライアイス５４を収納することができる。袖部７９にポケット部を配置してもよい。
【実施例７】
【００４２】
図１３に身体冷却用衣服１の別実施例を示す。前身頃３の中央部や下方部に伸縮ゴム部８０が使用されることで、人体の頭上からかぶって腕部２１に腕を通して着用するようにしたものである。
【符号の説明】
【００４３】
１      身体冷却用衣服
２      メッシュ材
３      前身頃
４      後身頃
７      ポケット部
９      軟質部材
３０    胸部ポケット部
３２    背部ポケット部
３４    腹側部ポケット部
３６    首部ポケット部
４０    サイズ調整具
５０    ドライアイス
５４    保冷材（紙材包装ドライアイス）
【図１】
2011001669.tif 000003
【図２】
2011001669.tif 000004
【図３】
2011001669.tif 000005
【図４】
2011001669.tif 000006
【図５】
2011001669.tif 000007
【図６】
2011001669.tif 000008
【図７】
2011001669.tif 000009
【図８】
2011001669.tif 000010
【図９】
2011001669.tif 000011
【図１０】
2011001669.tif 000012
【図１１】
2011001669.tif 000013
【図１２】
2011001669.tif 000014
【図１３】
2011001669.tif 000015
【手続補正書】
【提出日】平成21年9月7日(2009.9.7)
【手続補正１】
【補正対象書類名】特許請求の範囲
【補正対象項目名】全文
【補正方法】変更
【補正の内容】
【特許請求の範囲】
【請求項１】
メッシュ材で形成され、人の少なくとも上半身に対応する衣服本体と、
その衣服本体において、人の少なくとも胸部、背部、左右の腹側部、首部に対応する位置にそれぞれ１個以上形成され、時間の経過とともに消尽する保冷材を収容するための複数のポケット部と、
を含み、
前記ポケット部は、前記保冷材を収容することで一時的に厚みを有し、隣接する前記ポケット部との間に、前記ポケット部の厚み分の冷気循環用の隙間が形成されることを特徴とする身体冷却用衣服。
【請求項２】
前記保冷材は、ドライアイスが板状又はブロック状に切り出され若しくは成形して包装されており、前記ポケットに収容された、包装した前記ドライアイスによって、前記冷気循環用の隙間が形成されることを特徴とする請求項１に記載の身体冷却用衣服。
【請求項３】
前記首部に対応する前期衣服本体には、少なくとも前記ポケット部の人の首に接触する部分において、前記メッシュ材よりも軟らかい軟質部材が配設されている請求項１又は２に記載の身体冷却用衣服。
【請求項４】
請求項１の衣服本体に形成されたポケットに、板状又はブロック状に切り出され若しくは成形されたドライアイスを、新聞紙その他の紙材で包んで紙材包装ドライアイスとし、その紙材包装ドライアイスを、請求項１の衣服本体に形成されたポケット部に収容し、時間の経過によりその紙材包装ドライアイスが消尽したら、残る紙材を前記ポケット部から除去し、再度、前記紙材包装ドライアイスを前記ポケット部に収容することにより、当該衣服を繰り返し使用可能とすることを特徴とする身体冷却用衣服の使用方法。
【手続補正２】
【補正対象書類名】明細書
【補正対象項目名】０００５
【補正方法】変更
【補正の内容】
【０００５】
上記課題を解決するための本発明の身体冷却用衣服は、メッシュ材で形成され、人の少なくとも上半身に対応する衣服本体と、その衣服本体において、人の少なくとも胸部、背部、左右の腹側部、首部に対応する位置にそれぞれ１個以上形成され、時間の経過とともに消尽する保冷材を収容するための複数のポケット部と、を含み、前記ポケット部は、前記保冷材を収容することで一時的に厚みを有し、隣接する前記ポケット部との間に、前記ポケット部の厚み分の冷気循環用の隙間が形成されることを特徴とする。
また、前記保冷材は、ドライアイスが板状又はブロック状に切り出され若しくは成形して包装されており、前記ポケットに収容された、包装した前記ドライアイスによって、前記冷気循環用の隙間が形成されることを特徴とする。
さらに、前記首部に対応する前期衣服本体には、少なくとも前記ポケット部の人の首に接触する部分において、前記メッシュ材よりも軟らかい軟質部材が配設されている。
【手続補正３】
【補正対象書類名】明細書
【補正対象項目名】００１７
【補正方法】変更
【補正の内容】
【００１７】
さらに、身体冷却用衣服は、衣服本体に形成されたポケットに、板状又はブロック状に切り出され若しくは成形されたドライアイスを、新聞紙その他の紙材で包んで紙材包装ドライアイスとし、その紙材包装ドライアイスを、衣服本体に形成されたポケット部に収容し、時間の経過によりその紙材包装ドライアイスが消尽したら、残る紙材を前記ポケット部から除去し、再度、前記紙材包装ドライアイスを前記ポケット部に収容することにより、当該衣服を繰り返し使用可能とすることを特徴とする。
【手続補正書】
【提出日】平成21年12月22日(2009.12.22)
【手続補正１】
【補正対象書類名】特許請求の範囲
【補正対象項目名】全文
【補正方法】変更
【補正の内容】
【特許請求の範囲】
【請求項１】
メッシュ材で形成され、人の上半身に対応する衣服本体には、首部の背部に位置させて襟が配置してあり、
その衣服本体において、前記メッシュ材と同様の素材で形成された複数のポケット部のうち、胸部には左右対称に２個の胸部ポケット部、腹部を除いた左右の腹側部には左右対称に２個の腹側部ポケット部、背部には１個以上の背部ポケット部、首部の背部の前記襟には、その襟の高さの範囲内に首部ポケット部が形成され、
これら複数の前記ポケット部に、時間の経過とともに消尽する保冷材を収容した時に、厚みを有する前記ポケット部は、隣接する前記ポケット部との間に、前記ポケット部の厚み分の冷気循環用の隙間が人の前部から後部に連通しながら形成されることを特徴とする身体冷却用衣服。
【請求項２】
前記保冷材は、ドライアイスが板状又はブロック状に切り出され若しくは成形して包装されており、前記ポケット部に収容された、包装した前記ドライアイスによって、前記冷気循環用の隙間が形成されることを特徴とする請求項１に記載の身体冷却用衣服。
【請求項３】
前記首部に対応する前記衣服本体の前記襟には、前記首部ポケット部の人の首に接触する部分において、前記メッシュ材よりも軟らかい軟質部材が配設されている請求項１又は２に記載の身体冷却用衣服。
【請求項４】
請求項１の衣服本体に形成された前記ポケット部に、板状又はブロック状に切り出され若しくは成形されたドライアイスを、新聞紙その他の紙材で包んで紙材包装ドライアイスとし、その紙材包装ドライアイスを、請求項１の衣服本体に形成された前記ポケット部に収容し、時間の経過によりその紙材包装ドライアイスが消尽したら、残る紙材を前記ポケット部から除去し、再度、前記紙材包装ドライアイスを前記ポケット部に収容することにより、当該衣服を繰り返し使用可能とすることを特徴とする身体冷却用衣服の使用方法。
【手続補正２】
【補正対象書類名】明細書
【補正対象項目名】０００５
【補正方法】変更
【補正の内容】
【０００５】
上記課題を解決するための本発明の身体冷却用衣服は、メッシュ材で形成され、人の上半身に対応する衣服本体には、首部の背部に位置させて襟が配置してあり、その衣服本体において、前記メッシュ材と同様の素材で形成された複数のポケット部のうち、胸部には左右対称に２個の胸部ポケット部、腹部を除いた左右の腹側部には左右対称に２個の腹側部ポケット部、背部には１個以上の背部ポケット部、首部の背部の前記襟には、その襟の高さの範囲内に首部ポケット部が形成され、これら複数の前記ポケット部に、時間の経過とともに消尽する保冷材を収容した時に、厚みを有する前記ポケット部は、隣接する前記ポケット部との間に、前記ポケット部の厚み分の冷気循環用の隙間が人の前部から後部に連通しながら形成されることを特徴とする。
また、前記保冷材は、ドライアイスが板状又はブロック状に切り出され若しくは成形して包装されており、前記ポケット部に収容された、包装した前記ドライアイスによって、前記冷気循環用の隙間が形成される構成とすることができる。
さらに、前記首部に対応する前記衣服本体の前記襟には、前記首部ポケット部の人の首に接触する部分において、前記メッシュ材よりも軟らかい軟質部材が配設されている構成とすることができる。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
また、ポケット部が、対称的に配置されることで、上半身を左右対称的に冷却することができ、上半身の片側だけ冷却されるようなことは無く、上半身を満遍無く冷却するのにより効果的である。また、首部の背部の襟には襟の高さの範囲内に首部ポケット部があり、身体冷却に効果的な首部の体温を十分低下させることができる。
【手続補正５】
【補正対象書類名】明細書
【補正対象項目名】００１２
【補正方法】変更
【補正の内容】
【００１２】
具体的には、前記衣服本体のメッシュ材の外側にポケット部形成用のメッシュ材が縫い合わされて前記二重のメッシュ材の部分が形成され、さらにその衣服本体のメッシュ材における、前記ポケット部を形成する外側のメッシュ材の上側に隣接する部位に、フラップ状のメッシュ材が縫い合わされ、下側に折り返されることにより、そのフラップ状のメッシュ材が前記ポケット部を形成するメッシュ材の上部外面に重なるようにされ、その重なり部分に圧着ファスナーが固着されて、前記フラップ状のメッシュ材が前記ポケット部を閉鎖できるようにすることができる。
【手続補正６】
【補正対象書類名】明細書
【補正対象項目名】００１５
【補正方法】変更
【補正の内容】
【００１５】
具体的には、前記サイズ調整具は、前記中央部で分断された左右の端部同士を連結する長さを伸長又は短縮する長さ調節部を有し、その長さが調節されることにより、前記衣服本体の胴回りサイズが調整される構成とすることができる。
【手続補正７】
【補正対象書類名】明細書
【補正対象項目名】００１７
【補正方法】変更
【補正の内容】
【００１７】
さらに、身体冷却用衣服は、衣服本体に形成された前記ポケット部に、板状又はブロック状に切り出され若しくは成形されたドライアイスを、新聞紙その他の紙材で包んで紙材包装ドライアイスとし、その紙材包装ドライアイスを、衣服本体に形成された前記ポケット部に収容し、時間の経過によりその紙材包装ドライアイスが消尽したら、残る紙材を前記ポケット部から除去し、再度、前記紙材包装ドライアイスを前記ポケット部に収容することにより、当該衣服を繰り返し使用可能とすることができる。